(57)【要約】【課題】ウェアラブル光学装置が利用可能であるか否かを判定することによって、ウェアラブル光学装置の消費電力を効果的に削減する。【解決手段】電子機器であって、ウェアラブル光学装置と、上記ウェアラブル光学装置に関する状態を検出する状態検出部と、上記検出された状態が、上記ウェアラブル光学装置が利用可能な状態でユーザに装着されている第１の状態、または上記ウェアラブル光学装置が利用可能ではない状態でユーザに装着または携帯されている第２の状態の少なくともいずれかであることを判定する状態判定部と、上記判定の結果に基づいて上記電子機器の電源状態を制御する電源制御部とを備える電子機器が提供される。【選択図】図４
2015156610.tif 000002
【特許請求の範囲】
【請求項１】
電子機器であって、
ウェアラブル光学装置と、
前記ウェアラブル光学装置に関する状態を検出する状態検出部と、
前記検出された状態が、前記ウェアラブル光学装置が利用可能な状態でユーザに装着されている第１の状態、または前記ウェアラブル光学装置が利用可能ではない状態でユーザに装着または携帯されている第２の状態の少なくともいずれかであることを判定する状態判定部と、
前記判定の結果に基づいて前記電子機器の電源状態を制御する電源制御部と
を備える電子機器。
【請求項２】
前記状態検出部は、前記ウェアラブル光学装置の姿勢または動きの状態を検出する、請求項１に記載の電子機器。
【請求項３】
前記状態検出部は、加速度センサを含む、請求項２に記載の電子機器。
【請求項４】
前記状態判定部は、前記加速度センサの検出値に基づいて前記判定を実行する、請求項３に記載の電子機器。
【請求項５】
前記状態判定部は、前記加速度センサによって検出される重力加速度成分の向きが所定の向きと異なる場合に、前記検出された状態が前記第２の状態であることを判定する、請求項４に記載の電子機器。
【請求項６】
前記状態判定部は、前記重力加速度成分の向きが所定の向きと異なる状態が所定の時間継続した場合に、前記検出された状態が前記第２の状態であることを判定する、請求項５に記載の電子機器。
【請求項７】
前記状態判定部は、前記加速度センサの検出値の変化量に基づいて前記判定を実行する、請求項３に記載の電子機器。
【請求項８】
前記状態判定部は、前記変化量が第１の閾値よりも小さい状態が所定の時間継続した場合に、前記検出された状態が前記第２の状態であることを判定する、請求項７に記載の電子機器。
【請求項９】
前記ウェアラブル光学装置は、前記ユーザの頭部に取り付けるための取付部材を含み、
前記状態検出部は、前記取付部材の状態を検出する、請求項１に記載の電子機器。
【請求項１０】
前記取付部材は、連結部を含み、
前記状態検出部は、前記連結部の状態を検出し、
前記状態判定部は、前記連結部の状態に基づいて前記判定を実行する、請求項９に記載の電子機器。
【請求項１１】
前記取付部材は、弾性変形可能であり、
前記状態検出部は、前記取付部材が弾性変形した状態を検出し、
前記状態判定部は、前記取付部材が弾性変形した状態が前記第２の状態であることを判定する、請求項９に記載の電子機器。
【請求項１２】
前記状態検出部は、前記ユーザの状態を検出する、請求項１に記載の電子機器。
【請求項１３】
前記状態検出部は、前記ユーザの視線を検出する視線センサを含み、
前記状態判定部は、前記視線センサが前記ユーザの視線を検出しない状態が、前記第２の状態であることを判定する、請求項１２に記載の電子機器。
【請求項１４】
前記状態検出部は、前記ウェアラブル光学装置の周辺の環境状態を検出する、請求項１に記載の電子機器。
【請求項１５】
前記状態検出部は、前記ウェアラブル光学装置の周辺の照度を検出し、
前記状態判定部は、前記照度が閾値を下回った状態が前記第２の状態であることを判定する、請求項１４に記載の電子機器。
【請求項１６】
前記電源制御部は、前記検出された状態が前記第２の状態であることが判定された場合に、前記電源状態を省電力状態に遷移させる、請求項１に記載の電子機器。
【請求項１７】
前記省電力状態は、消費電力が異なる複数の省電力状態を含み、
前記電源制御部は、前記第２の状態の持続時間に応じて、前記電源状態を消費電力がより少ない前記省電力状態に段階的に遷移させる、請求項１６に記載の電子機器。
【請求項１８】
前記電源制御部は、前記第１の状態が判定された場合に、前記電源状態を前記省電力状態から復帰させる、請求項１６に記載の電子機器。
【請求項１９】
前記省電力状態は、前記状態検出部が前記第１の状態または前記第２の状態に対応する状態を検出可能である第１の省電力状態と、前記状態検出部が前記第１の状態または前記第２の状態を検出可能でなく、かつ消費電力が前記第１の省電力状態よりも小さい第２の省電力状態とを含み、
前記電源制御部は、前記第２の状態の持続時間に応じて、前記電源状態を前記第１の省電力状態から前記第２の省電力状態に段階的に遷移させ、前記第１の省電力状態において検出された状態が前記第１の状態であることが判定された場合に前記電源状態を前記省電力状態から復帰させる、請求項１８に記載の電子機器。
【請求項２０】
ウェアラブル光学装置に関する状態を検出し、
前記検出された状態が、前記ウェアラブル光学装置が利用可能な状態でユーザに装着されている第１の状態、または前記ウェアラブル光学装置が利用可能ではない状態でユーザに装着または携帯されている第２の状態の少なくともいずれかであることを判定し、
前記判定の結果に基づいて前記ウェアラブル光学装置を含む電子機器の電源状態を制御する
ことを含む電源制御方法。
【発明の詳細な説明】
【技術分野】
【０００１】
本開示は、電子機器、および電源制御方法に関する。
【背景技術】
【０００２】
近年、実空間の像に重畳する仮想的な画像を観察者に知覚させることが可能な光学装置が種々開発されている。こうした光学装置は、例えばウェアラブル光学装置であり、特にユーザの頭部に装着されるものはヘッドマウントディスプレイ（ＨＭＤ：Head  Mounted  Display）として知られている。ＨＭＤとして、例えば観察者の瞳の前方に設けられるハーフミラーを表示面として、そこに画像（実像）を結像させるタイプのものが知られている。また、光学系を用いて画像表示光を観察者の眼に導光することによって画像（虚像）を知覚させるタイプのＨＭＤも開発されている。例えば、特許文献１には、観察者の眼に対して横方向から画像表示光を導光して眼に入射させることが可能なＨＭＤを実現するための技術が記載されている。
【０００３】
例えば特許文献１に記載されたような技術や、その他の技術を利用することによって、ＨＭＤのようなウェアラブル光学装置の小型化および軽量化が進んでいる。また、ウェアラブルという特性上、頻繁に充電などすることなく長時間使い続けられることが望ましい。そのような中、ウェアラブル光学装置の消費電力を削減するための技術が種々提案されている。例えば、特許文献２では、動きを検出するセンサの出力でＨＭＤの非装着状態を判断して電源をシャットオフさせ、その後動きが検出されたら電源を再投入することによって、ＨＭＤの消費電力を削減する技術が提案されている。
【先行技術文献】
【特許文献】
【０００４】
【特許文献１】特許４７７６２８５号公報
【特許文献２】特許３９０１０６１号公報
【発明の概要】
【発明が解決しようとする課題】
【０００５】
例えば特許文献２に記載されたような技術によってもウェアラブル光学装置の消費電力は削減できるが、必ずしも十分とはいえない。例えば、動きが検出されない状態、例えばユーザがＨＭＤを装着せずに放置した場合だけでなく、ウェアラブル光学装置が利用可能な状態ではないもののユーザによって装着または携帯されている場合にも画像光の生成などの動作を停止できれば、消費電力の削減効果をより高めることができる。しかしながら、特許文献２に記載されたような技術では、上記のようなウェアラブル光学装置の装着状態の違い等を検出することは困難である。
【０００６】
そこで、本開示では、ウェアラブル光学装置が利用可能であるか否かを判定することによって、ウェアラブル光学装置の消費電力を効果的に削減することが可能な、新規かつ改良された電子機器、および電源制御方法を提案する。
【課題を解決するための手段】
【０００７】
本開示によれば、電子機器であって、ウェアラブル光学装置と、上記ウェアラブル光学装置に関する状態を検出する状態検出部と、上記検出された状態が、上記ウェアラブル光学装置が利用可能な状態でユーザに装着されている第１の状態、または上記ウェアラブル光学装置が利用可能ではない状態でユーザに装着または携帯されている第２の状態の少なくともいずれかであることを判定する状態判定部と、上記判定の結果に基づいて上記電子機器の電源状態を制御する電源制御部とを備える電子機器が提供される。
【０００８】
また、本開示によれば、ウェアラブル光学装置に関する状態を検出し、上記検出された状態が、上記ウェアラブル光学装置が利用可能な状態でユーザに装着されている第１の状態、または上記ウェアラブル光学装置が利用可能ではない状態でユーザに装着または携帯されている第２の状態の少なくともいずれかであることを判定し、上記判定の結果に基づいて上記ウェアラブル光学装置を含む電子機器の電源状態を制御することを含む電源制御方法が提供される。
【０００９】
ウェアラブル光学装置が利用可能な状態でユーザに装着されている状態と、利用可能ではない状態でユーザに装着または携帯されている状態とを、ウェアラブル光学装置の状態を示す情報に基づいて検出することによって、ウェアラブル光学装置がユーザに装着されていない場合だけではなく、装着または携帯されているが利用可能な状態ではない場合にも、ウェアラブル光学装置を含む電子機器の電源状態を変更し、消費電力を効果的に削減することができる。
【発明の効果】
【００１０】
以上説明したように本開示によれば、ウェアラブル光学装置が利用可能であるか否かを判定することによって、ウェアラブル光学装置の消費電力を効果的に削減することができる。
【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の第１の実施形態に係るシステムの概略的な構成を示す図である。
【図２】図１に示すシステムの概略的な機能構成を示すブロック図である。
【図３】本開示の第１の実施形態に係るシステムにおける処理シーケンスの例を示す図である。
【図４】本開示の第１の実施形態におけるＨＭＤの電源制御のための機能構成を示すブロック図である。
【図５】本開示の第１の実施形態における加速度センサの検出軸と重力加速度成分の向きとの関係の例を示す図である。
【図６】本開示の第１の実施形態における加速度の検出値に基づく検出処理の例を示すフローチャートである。
【図７】本開示の第１の実施形態における加速度の変化量に基づく検出処理の例を示すフローチャートである。
【図８】本開示の第１の実施形態におけるプロセッサの省電力状態からの復帰方法について説明するための図である。
【図９】本開示の第２の実施形態に係るシステムの概略的な機能構成を示すブロック図である。
【図１０】本開示の第２の実施形態において取付部材の状態を検出するスイッチの例を示す図である。
【図１１】本開示の第２の実施形態におけるＨＭＤの電源制御のための機能構成を示すブロック図である。
【図１２】本開示の第２の実施形態の変形例において取付部材の状態を検出するスイッチの例を示す図である。
【図１３】本開示の第３の実施形態に係るシステムの概略的な機能構成を示すブロック図である。
【図１４】本開示の第３の実施形態におけるＨＭＤの電源制御のための機能構成を示すブロック図である。
【図１５】本開示の第１、第２、および第３の実施形態における装着状態の検出を組み合わせた処理の例を示すフローチャートである。
【図１６】本開示の実施形態に係る電子機器のハードウェア構成例を示すブロック図である。
【発明を実施するための形態】
【００１３】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１４】
なお、説明は以下の順序で行うものとする。
１．第１の実施形態
１−１．システム構成
１−２．ＨＭＤの電源制御
２．第２の実施形態
３．第３の実施形態
４．その他の例
５．ハードウェア構成
６．補足
【００１５】
（１．第１の実施形態）
（１−１．システム構成）
図１は、本開示の第１の実施形態に係るシステムの概略的な構成を示す図である。図２は、図１に示すシステムの概略的な機能構成を示すブロック図である。図１および図２を参照すると、システム１０は、ヘッドマウントディスプレイ（ＨＭＤ）１００と、スマートフォン２００と、サーバ３００とを含む。以下、それぞれの機器の構成について説明する。
【００１６】
（ヘッドマウントディスプレイ）
ＨＭＤ１００は、ディスプレイユニット１１０と、コントロールユニット１６０とを含む。ディスプレイユニット１１０は、例えば眼鏡型の筐体を有し、ユーザ（観察者）の頭部に装着される。コントロールユニット１６０は、ディスプレイユニット１１０にケーブルで接続される。
【００１７】
ディスプレイユニット１１０は、図１に示されるように、光源１１２と、導光板１１４とを備える。光源１１２は、コントロールユニット１６０の制御に従って画像表示光を射出する。導光板１１４は、光源１１２から入射した画像表示光を導光し、ユーザの眼に対応する位置で画像表示光を出射する。ユーザの眼には、実空間から入射して導光板１１４を透過する光と、導光板１１４によって光源１１２から導光された画像表示光とが入射する。これによって、ディスプレイユニット１１０を装着したユーザは、実空間に重畳される画像を知覚することができる。なお、光源１１２から導光板１１４を介して画像表示光を出射させるための構成には、例えば上述した特許４７７６２８５号公報に記載されたような技術が用いられてもよい。ディスプレイユニット１１０は、このような構成のための図示しない光学系をさらに備えてもよい。
【００１８】
さらに、ディスプレイユニット１１０は、図２に示されるように、モーションセンサ１１６と、カメラ１１８とを備える。モーションセンサ１１６は、例えば、３軸加速度センサ、３軸ジャイロセンサ、および３軸地磁気センサを含む。これらのセンサによって検出されるディスプレイユニット１１０の加速度、角速度、および方位に基づいて、ディスプレイユニット１１０の姿勢や動き（変位および回転）を特定することができる。カメラ１１８は、実空間の画像を撮影する。カメラ１１８によって撮影される画像は、例えば、実空間におけるユーザの視界に対応する画像として扱われる。
【００１９】
コントロールユニット１６０は、プロセッサ１６２と、メモリ１６４と、通信装置１６６と、入力キー１６８と、タッチセンサ１７０と、マイクロフォン１７２と、スピーカ１７４と、加速度センサ１７６と、バッテリー１７８とを備える。プロセッサ１６２は、メモリ１６４に格納されたプログラムに従って動作することによって各種の機能を実現する。後述する状態判定部、および電源制御部などの機能は、例えばプロセッサ１６２によって実現される。プロセッサ１６２は、ケーブルを介した有線通信によってディスプレイユニット１１０に制御信号を送信し、また光源１１２やモーションセンサ１１６のための電源を提供する。また、プロセッサ１６２は、ディスプレイユニット１１０に備えられるモーションセンサ１１６、およびカメラ１１８から出力されたデータを取得し、これらに基づく処理を実行する。
【００２０】
メモリ１６４は、プロセッサ１６２の動作のためのさまざまなデータを格納する。例えば、メモリ１６４は、プロセッサ１６２が各種機能を実現するためのプログラムを格納する。また、メモリ１６４は、ディスプレイユニット１１０のモーションセンサ１１６、およびカメラ１１８から出力されたデータを一時的に格納する。通信装置１６６は、スマートフォン２００との間で無線通信を実行する。無線通信には、例えばＢｌｕｅｔｏｏｔｈ（登録商標）またはＷｉ−Ｆｉなどが用いられる。入力キー１６８は、例えば戻るキーやＰＴＴ（Push  to  Talk）キーなどを含み、ＨＭＤ１００に対するユーザ操作を取得する。タッチセンサ１７０も、同様にＨＭＤ１００に対するユーザ操作を取得する。より具体的には、例えば、タッチセンサ１７０は、ユーザによるタップやスワイプなどの操作を取得する。
【００２１】
マイクロフォン１７２は、音声を音声信号に変換し、プロセッサ１６２に提供する。スピーカ１７４は、プロセッサ１６２の制御に従って音声を出力する。加速度センサ１７６は、例えば３軸加速度センサであり、コントロールユニット１６０の加速度を検出する。バッテリー１７８は、コントロールユニット１６０およびディスプレイユニット１１０の全体に電源を供給する。バッテリー１７８からの電源供給は、例えばプロセッサ１６２によって設定される電源状態に従って制御される。
【００２２】
なお、ＨＭＤ１００では、プロセッサ１６２やマイクロフォン１７２、スピーカ１７４、バッテリー１７８などをコントロールユニット１６０に搭載し、ディスプレイユニット１１０とコントロールユニット１６０とを分離してケーブルで接続することによって、ディスプレイユニット１１０の小型化および軽量化を図っている。コントロールユニット１６０もまたユーザによって携帯されるため、可能な限り小型化および軽量化することが望ましい。そこで、例えば、プロセッサ１６２が実現する機能をディスプレイユニット１１０の制御のための最低限の機能とし、それ以外の機能についてはスマートフォン２００で実現することによって、プロセッサ１６２の消費電力の低減によるバッテリー１７８およびコントロールユニット１６０全体の小型化を図ってもよい。
【００２３】
（スマートフォン）
スマートフォン２００は、プロセッサ２０２と、メモリ２０４と、通信装置２０６，２０８と、センサ２１０と、ディスプレイ２１２と、タッチパネル２１４と、ＧＰＳ（Global  Positioning  System）受信機２１６と、マイクロフォン２１８と、スピーカ２２０と、バッテリー２２２とを備える。プロセッサ２０２は、メモリ２０４に格納されたプログラムに従って動作することによって各種の機能を実現する。上述の通り、プロセッサ２０２がＨＭＤ１００のコントロールユニット１６０が備えるプロセッサ１６２と協働して各種の機能を実現することによって、コントロールユニット１６０の小型化および軽量化が可能になる。メモリ２０４は、スマートフォン２００の動作のためのさまざまなデータを格納する。例えば、メモリ２０４は、プロセッサ２０２が各種機能を実現するためのプログラムを格納する。また、メモリ２０４は、センサ２１０やＧＰＳ受信機２１６によって取得されたデータ、およびＨＭＤ１００との間で送受信されるデータを、一時的または継続的に格納する。
【００２４】
通信装置２０６は、ＨＭＤ１００のコントロールユニット１６０が備える通信装置１６６との間で、Ｂｌｕｅｔｏｏｔｈ（登録商標）またはＷｉ−Ｆｉなどを用いた無線通信を実行する。また、通信装置２０８は、サーバ３００との間でネットワーク通信を実行する。ネットワーク通信は、例えば携帯電話網を経由して実行されてもよい。ディスプレイ２１２は、プロセッサ２０２の制御に従って各種の画像を表示する。タッチパネル２１４は、ディスプレイ２１２上に配置され、ディスプレイ２１２に対するユーザのタッチ操作を取得する。ＧＰＳ受信機２１６は、スマートフォン２００の緯度、経度、および高度を測定するためのＧＰＳ信号を受信する。マイクロフォン２１８は、音声を音声信号に変換し、プロセッサ２０２に提供する。スピーカ２２０は、プロセッサ２０２の制御に従って音声を出力する。バッテリー２２２は、スマートフォン２００の全体に電源を供給する。
【００２５】
（サーバ）
サーバ３００は、プロセッサ３０２と、メモリ３０４と、通信装置３０６とを備える。なお、サーバ３００は、例えばネットワーク上で複数のサーバ装置が協働することによって実現されるが、ここでは説明を簡単にするために仮想的な単一の装置として説明する。プロセッサ３０２は、メモリ３０４に格納されたプログラムに従って動作することによって各種の機能を実現する。サーバ３００のプロセッサ３０２は、例えば、スマートフォン２００から受信したリクエストに応じて各種の情報処理を実行し、結果をスマートフォン２００に送信する。メモリ３０４は、サーバ３００の動作のためのさまざまなデータを格納する。例えば、メモリ３０４は、プロセッサ３０２が各種機能を実現するためのプログラムを格納する。メモリ３０４は、さらに、スマートフォン２００からアップロードされたデータを一時的または継続的に格納してもよい。通信装置３０６は、スマートフォン２００との間で、例えば携帯電話網を経由したネットワーク通信を実行する。
【００２６】
以上、本開示の第１の実施形態におけるシステム構成について説明した。なお、本実施形態において、ＨＭＤ１００は、ウェアラブル光学装置（ディスプレイユニット１１０）を含む電子機器の一例である。上述の通り、ＨＭＤ１００は、導光板１１４を用いて画像表示光を観察者の眼に導光することによって画像を知覚させる。従って、ディスプレイという用語が用いられているが、ＨＭＤ１００は必ずしも表示面に画像を結像させるものではない。もちろん、他の方式のＨＭＤとして知られているように、ＨＭＤ１００に代えて表示面に画像を結像させるタイプのＨＭＤが用いられてもよい。
【００２７】
また、上記のシステム構成は一例であり、他にもさまざまなシステム構成が可能である。例えば、ＨＭＤ１００は、必ずしもディスプレイユニット１１０とコントロールユニット１６０とに分離していなくてもよく、例えば上記で説明したＨＭＤ１００の構成の全体が、ディスプレイユニット１１０のような眼鏡型の筐体に集約されていてもよい。また、既に述べた通り、ＨＭＤ１００を制御するための機能の少なくとも一部が、スマートフォン２００で実現されてもよい。あるいは、ディスプレイユニット１１０もプロセッサを備え、ＨＭＤ１００における情報処理がコントロールユニット１６０のプロセッサ１６２とディスプレイユニット１１０のプロセッサとの協働によって実現されてもよい。
【００２８】
さらなる変形例として、システム１０がスマートフォン２００を含まず、ＨＭＤ１００とサーバ３００との間で直接的に通信が実行されてもよい。また、システム１０において、スマートフォン２００は、ＨＭＤ１００およびサーバ３００の両方との通信を実行することが可能な他の装置、例えばタブレット端末、パーソナルコンピュータ、または携帯型ゲーム機などによって代替されてもよい。
【００２９】
図３は、本開示の第１の実施形態に係るシステムにおける処理シーケンスの例を示す図である。図３を参照すると、まず、ＨＭＤ１００のコントロールユニット１６０において、例えばタッチセンサ１７０などを介してユーザ操作が入力される（Ｓ１０１）。このとき、プロセッサ１６２は、ユーザ操作の内容を示す情報を、通信装置１６６を介してスマートフォン２００に送信する（Ｓ１０３）。スマートフォン２００では、プロセッサ２０２が、通信装置２０６を介してＨＭＤ１００から受信した情報に基づいて、次に表示する画像の内容を判断する（Ｓ１０５）。図示していないが、このとき、プロセッサ２０２は、通信装置２０８を介してサーバ３００と通信し、次に表示する画像のために必要な情報を取得してもよい。
【００３０】
続いて、プロセッサ２０２は、通信装置２０６を介して、次に表示する画像のために必要な情報、例えばアイコンやテキストなどをＨＭＤ１００に送信する（Ｓ１０７）。ＨＭＤ１００では、プロセッサ１６２が、通信装置１６６を介してスマートフォン２００から受信した情報に基づいて、次に表示する画像（フレーム画像）を生成する（Ｓ１０９）。さらに、プロセッサ１６２は、生成されたフレーム画像のデータに基づいてディスプレイユニット１１０の光源１１２を制御し、光源１１２から射出される画像表示光によって提供される画像のフレームを更新する（Ｓ１１１）。
【００３１】
（１−２．ＨＭＤの電源制御）
図４は、本開示の第１の実施形態におけるＨＭＤの電源制御のための機能構成を示すブロック図である。図４を参照すると、本実施形態において、ＨＭＤの電源制御は、状態判定部５１０と、電源制御部５２０とを含む機能構成によって実現される。
【００３２】
上述のように、システム１０において、これらの機能構成は、例えばＨＭＤ１００のコントロールユニット１６０が備えるプロセッサ１６２がメモリ１６４に格納されたプログラムに従って動作することによって実現される。あるいは、上記の機能構成の一部または全部は、Ｂｌｕｅｔｏｏｔｈ（登録商標）やＷｉ−Ｆｉなどの無線通信を介してＨＭＤ１００と通信するスマートフォン２００のプロセッサ２０２が、メモリ２０４に格納されたプログラムに従って動作することによって実現されてもよい。同様に、上記の機能構成の一部または全部は、サーバ３００のプロセッサ３０２が、メモリ３０４に格納されたプログラムに従って動作することによって実現されてもよい。つまり、上記の機能構成は、システム１０に含まれるいずれかの電子機器（ＨＭＤ１００、スマートフォン２００、またはサーバ３００）において実現されてもよいし、システム１０に含まれる複数の電子機器が協働することによって実現されてもよい。
【００３３】
（状態の判定）
まず、状態判定部５１０によって実行される、ＨＭＤ１００のディスプレイユニット１１０の状態の判定について説明する。本実施形態において、状態判定部５１０は、モーションセンサ１１６に含まれる加速度センサの検出値によって示されるディスプレイユニット１１０の姿勢または動きの状態が、ディスプレイユニット１１０が利用可能な状態でユーザに装着されている第１の状態、またはディスプレイユニット１１０が利用可能ではない状態でユーザに装着または携帯されている第２の状態のうちの少なくともいずれかであることを判定する。本実施形態において、ディスプレイユニット１１０は、ウェアラブル光学装置の一例である。
【００３４】
より具体的には、本実施形態において、状態判定部５１０は、ディスプレイユニット１１０の姿勢または動きの状態を示す情報として、ディスプレイユニット１１０の加速度を示す情報を利用する。加速度を示す情報は、ディスプレイユニット１１０が備えるモーションセンサ１１６に含まれる加速度センサによって取得される。従って、本実施形態において、モーションセンサ１１６は、ウェアラブル光学装置に関する状態を検出する状態検出部の一例である。状態判定部５１０は、以下でさらに具体的に説明するように、ディスプレイユニット１１０の加速度の検出値、および／または変化量に基づいて状態を判定する。
【００３５】
（１）加速度の検出値に基づく状態の判定
ディスプレイユニット１１０の加速度が３軸加速度センサによって取得される場合、取得される加速度には重力加速度成分（ｇ≒９．８ｍ／ｓ２）が含まれる。重力加速度成分の向きは一定（鉛直下向き）であるため、３軸加速度センサの検出軸（ｘ軸、ｙ軸、およびｚ軸）に対する重力加速度成分の相対的な向きに基づいて、ディスプレイユニット１１０の姿勢を特定することができる。この点について、図５を参照してさらに説明する。
【００３６】
図５は、ディスプレイユニット１１０が備える３軸加速度センサの検出軸（ｘ軸、ｙ軸、およびｚ軸）と、加速度の重力加速度成分Ｇの向きとの関係を示す図である。図示された例では、（ａ）に示すディスプレイユニット１１０の姿勢（ユーザの頭部に正しく装着されたときの姿勢）を基準にして、３軸加速度センサの検出軸が設定されている。検出軸は、ディスプレイユニット１１０を装着したユーザからみて、前後方向のｘ軸（前が正の向き）、左右方向のｙ軸（左が正の向き）、上下方向のｚ軸（上が正の向き）からなる。（ａ）の状態において、加速度の重力加速度成分Ｇは、ｚ軸の負の向きで検出される。
【００３７】
ここで、例えば（ｂ）に示すように、ディスプレイユニット１１０の姿勢が（ａ）の姿勢から傾いた場合、重力加速度成分Ｇの絶対的な向きは変わらないが、３軸加速度センサの検出軸は傾く。従って、（ｂ）の場合、加速度の重力加速度成分Ｇは、各検出軸に交わる斜めの向きで検出される。なお、（ｂ）に示すようなディスプレイユニット１１０の傾斜姿勢は、例えば、ディスプレイユニット１１０がユーザの眼の前から額に上げられた場合や、ディスプレイユニット１１０がユーザの首にかけられた場合などに発生しうる。
【００３８】
さらに、例えば（ｃ）に示すように、ディスプレイユニット１１０の姿勢が（ａ）の姿勢から上下反転した場合、重力加速度成分Ｇの絶対的な向きは変わらないが、３軸加速度センサの検出軸は反転する。つまり、ｘ軸、ｙ軸、ｚ軸とも、方向は（ａ）の場合と同じなるが、正負の向きが逆になる。従って、（ｃ）の場合、加速度の重力加速度成分Ｇは、ｚ軸の正の向き、すなわち（ａ）の場合からみて反転した向きで検出される。
【００３９】
他のモバイル装置などとは異なり、ディスプレイユニット１１０はユーザの身体の特定の部位（頭部）に装着されるために、利用されるときの姿勢がほぼ決まっている。具体的には、ディスプレイユニット１１０は、基本的に（ａ）の姿勢で利用される。従って、本実施形態において、状態判定部５１０は、図５に例示したような加速度の検出値（ベクトル）の変化に基づいて、ディスプレイユニット１１０の状態を判定することができる。
【００４０】
より具体的には、図５の例において、状態判定部５１０は、加速度の検出値に含まれる重力加速度成分Ｇの向きが所定の向き（ｚ軸の負の向き）に一致する場合に、ディスプレイユニット１１０が利用可能な状態でユーザに装着されている第１の状態（（ａ）の状態）を検出することができる。また、状態判定部５１０は、加速度の検出値に含まれる重力加速度成分Ｇの向きが所定の向き（ｚ軸の負の向き）とは異なる場合に、ディスプレイユニット１１０が利用可能ではない状態でユーザに装着または携帯されている第２の状態（（ｂ）および（ｃ）の状態）を検出することができる。なお、第２の状態は、ユーザがディスプレイユニット１１０を装着も携帯もせず、テーブルの上などに放置している状態を含んでもよい。このような状態も、後述する電源制御では省電力状態が設定されることが好ましい点では、ディスプレイユニット１１０が利用可能ではない状態でユーザに装着または携帯されている状態と同様である。
【００４１】
あるいは、図５の例において、状態判定部５１０は、加速度の検出値に含まれる重力加速度成分Ｇの向きが所定の向きに対して反転した向き（ｚ軸の正の向き）である場合に、第２の状態を検出してもよい。この場合、上記の例とは異なり、図５に示した（ａ）および（ｂ）の状態が第１の状態に対応し、（ｃ）の状態が第２の状態に対応する。
【００４２】
ここで、例えば、（ａ）の状態において、ユーザの頭部に装着されたディスプレイユニット１１０は常に水平ではなく、頭部の傾きに従って多少の傾斜が発生する。従って、（ａ）の状態は、重力加速度成分Ｇが所定の向き（ｚ軸の負の向き）に一致する場合だけではなく、所定の向きに略一致する場合、つまり所定の向きとの間の差が許容範囲内である場合として判定されてもよい。
【００４３】
同様に、例えば、（ｃ）の状態において、ディスプレイユニット１１０は、例えば上下反転された状態であると推定されるが、利用されている状態ではないために、厳密に反転した姿勢に維持されるわけではない。従って、（ｃ）の状態は、重力加速度成分Ｇが所定の向きに対して反転した向き（ｚ軸の正の向き）である場合だけではなく、所定に向きに対して略反転した向きである場合、つまり所定の向きに対して反転した向きとの間の差が許容範囲内である場合として判定されてもよい。
【００４４】
上述の通り、図５の例において、ディスプレイユニット１１０は、基本的には（ａ）の姿勢で利用される。ただし、ユーザが一時的に頭部を傾けたりすることによってディスプレイユニット１１０の姿勢は変化する。その一方で、ユーザが長時間にわたって頭部を傾け続けることはあまりないと考えられる。このような場合、次に説明する通り、状態判定部５１０が、加速度の検出値に時間を組み合わせた判定を実行することによって、より適切にディスプレイユニット１１０の状態を検出できる。
【００４５】
図６は、状態判定部５１０が加速度の検出値に時間を組み合わせた判定を実行する場合の処理の例を示すフローチャートである。図６を参照すると、まず、状態判定部５１０は、ディスプレイユニット１１０の加速度の検出値を取得する（Ｓ２０１）。ここで、加速度の検出値は、モーションセンサ１１６に含まれる３軸加速度センサによって取得されうる。次に、状態判定部５１０は、加速度の検出値に含まれる重力加速度成分の向きが所定の向きに一致するか否かを判定する（Ｓ２０３）。ここで、所定の向きは、例えば図５の例におけるｚ軸の負の向きである。上述のように、向きの判定は、所定の許容範囲内の差を許容して実施されてもよい。
【００４６】
Ｓ２０３の判定において、重力加速度成分の向きが所定の向きに一致すると判定された場合（ＹＥＳ）、処理はＳ２０１に戻る。一方、重力加速度成分の向きが所定の向きに一致しないと判定された場合（ＮＯ）、状態判定部５１０は、さらに、重力加速度成分の向きが所定の向きに対して反転しているか否かを判定してもよい（Ｓ２０５）。この判定が実行される場合、重力加速度成分の向きが所定の向きに対して反転していれば（ＹＥＳ）、続くＳ２０７で所定の時間の経過を待つことなく、状態判定部５１０は、ディスプレイユニット１１０の状態が、利用可能ではない状態でユーザに装着または携帯されている第２の状態であることを判定する（Ｓ２０９）。
【００４７】
一方、Ｓ２０５の判定において重力加速度成分の向きが所定の向きに対して反転していなかった場合（ＮＯ）、またはＳ２０５の判定が実行されない場合、状態判定部５１０は、重力加速度成分の向きが所定の向きに一致しない状態で、所定の時間の経過を待つ（Ｓ２０７）。ここで、所定の時間が経過すれば、（ＹＥＳ）、状態判定部５１０はディスプレイユニット１１０の状態が第２の状態であることを判定する（Ｓ２０９）。一方、所定の時間が経過する前に、重力加速度成分の向きが所定の向きに一致した場合、処理はＳ２０１に戻る。
【００４８】
以上のような処理によって、ディスプレイユニット１１０が備える加速度センサの検出値に基づいて、ディスプレイユニット１１０の状態を判定することができ、また、ユーザが一時的に頭部を傾けたりした場合に第２の状態が誤検出されるのを防ぐことができる。また、付加的に実行されるＳ２０５の判定では、加速度に含まれる重力加速度成分の向きが略反転した場合、つまりディスプレイユニット１１０の姿勢が図５に示した（ｃ）の姿勢である場合、所定の時間の経過を待たずともディスプレイユニット１１０が利用されていないと判定することによって、より早く状態を判定することができる。なお、他の例として、状態判定部５１０は、加速度に含まれる重力加速度成分の向きが略反転している場合にも、所定の時間の経過を待ってから状態を判定してもよい。
【００４９】
（２）加速度の変化量に基づく状態の判定
人間が身体の加速度は、部位によって異なる。ディスプレイユニット１１０が装着されるユーザの頭部は、手足のように比較的大きな加速度がかかる部位ではないが、身体の一部である以上、ユーザが意図的に静止させない限り少しずつ動き続けている。それゆえ、ディスプレイユニット１１０の加速度は、ディスプレイユニット１１０がユーザの頭部に装着されている間、多かれ少なかれ変化し続けている。もちろん、ユーザがディスプレイユニット１１０を装着して歩いたり走ったりすれば、加速度は大きく変化する。
【００５０】
状態判定部５１０は、上記のような特性を利用して、ディスプレイユニット１１０の状態を判定することができる。例えば、状態判定部５１０は、ディスプレイユニット１１０の加速度の変化量が閾値（第１の閾値）よりも小さい状態が所定の時間継続した場合に、ディスプレイユニット１１０が利用可能ではない状態でユーザに装着または携帯されている第２の状態を検出してもよい。第１の閾値は、例えば、ディスプレイユニット１１０がユーザの頭部に装着されている間に自然に発生しうる加速度の変化量を下回る値であり、０に近い値であってもよい。これによって、例えば、ディスプレイユニット１１０がバッグなどに入れられてユーザに携帯され、ユーザまたはバッグなどの動きが小さい場合などには、第２の状態が検出される。
【００５１】
さらに、状態判定部５１０は、第２の状態を検出するにあたり、加速度の変化量が第１の閾値よりも小さい状態が予定の時間継続するのに先立って、第１の閾値よりも大きい第２の閾値を超える変化量が検出されることを条件としてもよい。第２の閾値は、例えば、ディスプレイユニット１１０がユーザの頭部から取り外されてから、バッグなどに収納されるなどしたときに発生する加速度の変化量に対応する値、つまり、ディスプレイユニット１１０に衝撃が加えられた場合の加速度の変化量に対応する値である（一例として重力加速度の３倍程度）。この場合、例えば、ユーザがディスプレイユニット１１０を装着したまま意図的に頭部を静止させた場合に、第２の状態が誤検出されるのを防ぐことができる。
【００５２】
図７は、状態判定部５１０が加速度の変化量に基づく判定を実行する場合の処理の例を示すフローチャートである。図７を参照すると、まず、状態判定部５１０は、加速度の変化量を取得する（Ｓ３０１）。ここで、加速度の変化量は、ディスプレイユニット１１０が備えるモーションセンサ１１６に含まれる加速度センサによって取得されうる。なお、この例では、加速度の変化量に基づいて状態を判定するにあたり、加速度の向きは問題とされないため、加速度センサは必ずしも３軸加速度センサでなくてもよい。
【００５３】
次に、状態判定部５１０は、加速度の変化量が第２の閾値を超えたか否かを判定する（Ｓ３０３）。上記のように、第２の閾値は、ディスプレイユニット１１０に衝撃が加えられた場合の加速度の変化量に対応する。従って、Ｓ３０３では、ディスプレイユニット１１０に衝撃が加えられたか否かが判定されているともいえる。ここで、加速度の変化量が第２の閾値を超えた場合（ＹＥＳ）、状態判定部５１０は、さらに、加速度の変化量が第１の閾値よりも小さくなったか否かを判定する（Ｓ３０５）。一方、Ｓ３０３において、加速度の変化量が第２の閾値を超えなかった場合（ＮＯ）、状態判定部５１０は引き続き加速度の変化量を取得する（Ｓ３０１）。
【００５４】
Ｓ３０５の判定において、加速度の変化量が第１の閾値よりも小さくなったと判定された場合（ＹＥＳ）、状態判定部５１０は、加速度の変化量が第１の閾値よりも小さい状態で、所定の時間の経過を待つ（Ｓ３０７）。ここで、所定の時間が経過すれば（ＹＥＳ）、状態判定部５１０はディスプレイユニット１１０の状態が第２の状態であることを検出する（Ｓ３０９）。一方、所定の時間が経過する前に、加速度の変化量が第１の閾値を超えた場合、処理はＳ３０１に戻る。
【００５５】
以上のような処理によって、ディスプレイユニット１１０の加速度の変化量に応じて状態を判定することができ、また、ユーザが意図的に頭部を静止させたような場合に第２の状態が誤検出されるのを防ぐことができる。
【００５６】
なお、本実施形態では、上述した加速度の検出値を用いた判定と、加速度の変化量を用いた判定とのうち、どちらか一方を実施してもよいし、両方を組み合わせて実施してもよい。両方を組み合わせて実施する場合、例えば、状態判定部５１０は、加速度の検出値または変化量の少なくともいずれかで第２の状態（ディスプレイユニット１１０が利用可能ではない状態でユーザに装着または携帯されている状態）が判定された場合に、ディスプレイユニット１１０の状態が第２の状態であると判定してもよい。例えば、ディスプレイユニット１１０が図５に示した（ａ）の姿勢のままカバンなどに入れて携帯されている場合、加速度の検出値に基づいて第２の状態を検出することは困難である。また、例えばディスプレイユニット１１０がユーザの首にかけられたり額に上げられたりして、加速度に変化は生じているものの正しい姿勢で装着されてはいない場合、加速度の変化量に基づいて第２の状態を検出することが困難である。加速度の検出値と変化量とを組み合わせて状態を判定することによって、上記のような場合にも正しく状態を判定することができる。
【００５７】
（電源状態の制御）
次に、電源制御部５２０によって実行される電源制御について説明する。本実施形態において、電源制御部５２０は、状態判定部５１０によるディスプレイユニット１１０の状態の判定結果に基づいて、ディスプレイユニット１１０の電源状態、またはディスプレイユニット１１０およびコントロールユニット１６０を含むＨＭＤ１００全体の電源状態を制御する。
【００５８】
より具体的には、本実施形態において、電源制御部５２０は、状態判定部５１０によって第２の状態が検出された場合に、ディスプレイユニット１１０またはＨＭＤ１００（ディスプレイユニット１１０およびコントロールユニット１６０）の電源状態を省電力状態に遷移させる。ここで、省電力状態は、通常の状態に比較して使用電力が少ない電源状態をいう。例えば、ディスプレイユニット１１０では、光源１１２による画像表示光の射出を停止したり、画像表示光の輝度または解像度を引き下げたり、モーションセンサ１１６の一部または全部の動作を停止したり、カメラ１１８による撮像の間隔を延長したり、撮像を停止したりすることによって、省電力状態を設定することができる。また、コントロールユニット１６０では、プロセッサ１６２、通信装置１６６、タッチセンサ１７０、または加速度センサ１７６などの動作モードを変更したり、またはこれらを停止したりすることによって、省電力状態を設定することができる。また、省電力状態は、ＨＭＤ１００の電源がオフになった状態を含んでもよい。
【００５９】
ここで、電源制御部５２０によって設定される省電力状態は、消費電力が異なる複数の省電力状態を含んでもよい。例えば、電源制御部５２０は、第１の省電力状態を設定する。第１の省電力状態では、ディスプレイユニット１１０において、光源１１２による画像表示光の射出が停止し、モーションセンサ１１６に含まれる加速度センサ以外のジャイロセンサなどが動作を停止し、カメラ１１８による撮像も停止する。また、第１の省電力状態では、コントロールユニット１６０のプロセッサ１６２は動作を停止せず、モーションセンサ１１６に含まれる加速度センサの検出値または変化量に基づいて上記の第１の状態（ディスプレイユニット１１０が利用可能な状態でユーザに装着されている状態）が検出されたときに、電源制御部５２０がディスプレイユニット１１０（またはＨＭＤ１００）を省電力状態から通常の電源状態に復帰させることが可能であってもよい。
【００６０】
また、例えば、電源制御部５２０は、第２の省電力状態を設定する。第２の省電力状態では、ディスプレイユニット１１０において、加速度センサを含むほぼすべての装置の動作が停止する。さらに、第２の省電力状態では、コントロールユニット１６０において、プロセッサ１６２の動作（クロック）が停止し、タッチセンサ１７０や加速度センサ１７６の動作も停止される。一方、このとき、通信装置１６６は、後述するような所定の待機モードに設定される。
【００６１】
図８に、上記の第２の省電力状態でクロックを停止したプロセッサ１６２を復帰させる方法の例を示す。図８に示された例では、通信装置１６６としてＢｌｕｅｔｏｏｔｈ（登録商標）モジュール（ＢＴモジュール）１６６ａとＷｉ−Ｆｉモジュール１６６ｂとが設けられる。プロセッサ１６２は、上記の第２の省電力状態においてクロックを停止した場合、入力キー１６８からキー入力信号が受信されること、ＢＴモジュール１６６ａがスマートフォン２００などの他の装置から信号を受信すること、およびＷｉ−Ｆｉモジュール１６６ｂが同様にスマートフォン２００などの他の装置から信号を受信することを割り込み要因として、動作を再開する。なお、ＢＴモジュール１６６ａでは、待機モードとして例えばＳｎｉｆｆモードが設定される。また、Ｗｉ−Ｆｉモジュール１６６ｂでは、待機モードとして例えばＷＯＷ（Wake  On  Wireless）モードが設定される。このようなモードが設定されている場合、プロセッサ１６２は、スマートフォン２００などから信号が受信された場合に、比較的迅速に動作を再開することが可能である。上記の割り込み要因によってプロセッサ１６２の動作が再開された場合、電源制御部５２０は、ＨＭＤ１００を通常の電源状態に遷移させる。
【００６２】
電源制御部５２０は、上記の第１の省電力状態と第２の省電力状態とを、例えば状態判定部５１０によって検出される第２の状態（ディスプレイユニット１１０が利用可能ではない状態でユーザに装着または携帯されている状態）の持続時間に応じて使い分けてもよい。より具体的には、電源制御部５２０は、第２の状態の持続時間に応じて、ＨＭＤ１００の電源状態を、第１の省電力状態から第２の省電力状態（消費電力がより少ない省電力状態）に段階的に遷移させてもよい。
【００６３】
例えば、電源制御部５２０は、状態判定部５１０によって第２の状態が検出された場合、まずＨＭＤ１００の電源状態を通常の状態から第１の省電力状態に遷移させる。第１の省電力状態では、依然として状態判定部５１０によるディスプレイユニット１１０の状態の判定が可能である。従って、第１の省電力状態において、状態判定部５１０が第２の状態を検出しなくなった、または第１の状態（ディスプレイユニット１１０が利用可能な状態でユーザに装着されている状態）を検出した場合、電源制御部５２０は、電源状態を省電力状態から通常の状態に復帰させることが可能である。
【００６４】
さらに、電源制御部５２０は、第２の状態が所定の時間以上持続した場合、ＨＭＤ１００の電源状態を、第１の省電力状態から第２の省電力状態に遷移させる。第２の省電力状態では、状態判定部５１０による状態の判定がされなくなるため、例えばディスプレイユニット１１０の加速度が第１の状態の判定条件を満たしても、電源状態は省電力状態から復帰しない。ただし、第２の省電力状態では、入力キー１６８からキー入力信号が受信された場合にプロセッサ１６２の動作を再開することが可能であるほか、通信装置１６６が、スマートフォン２００などから信号が受信された場合に比較的迅速に動作を再開することが可能な状態に維持される。従って、第２の省電力状態でも、ＨＭＤ１００の電源がオフになった状態に比べれば短時間で、ＨＭＤ１００の電源状態を省電力状態から復帰させることが可能である。
【００６５】
以上で説明したように、本実施形態では、モーションセンサ１１６に含まれる加速度センサの検出値によって示されるディスプレイユニット１１０の姿勢または動きの状態についての判定結果に基づいて、ディスプレイユニット１１０、またはディスプレイユニット１１０を含むＨＭＤ１００の電源状態が制御される。電源状態の制御は、より具体的には省電力状態への遷移を含む。このように、ディスプレイユニット１１０の状態に基づいて電源状態を制御することによって、ユーザがディスプレイユニット１１０を利用可能な状態で装着していない間にディスプレイユニット１１０またはＨＭＤ１００の機能を停止させ、ユーザの利便性を損なうことなく消費電力を削減することができる。
【００６６】
なお、本実施形態では、ディスプレイユニット１１０の状態が、加速度の検出値や変化量に基づいて判定される。従って、例えば、上述した第１の省電力状態のように、ＨＭＤ１００の機能の一部を停止した状態でも装着状態の検出を継続することができる。ディスプレイユニット１１０のモーションセンサ１１６に含まれる加速度センサの消費電力は、光源１１２や、モーションセンサ１１６に含まれるジャイロセンサなどに比べると一般的に低い。従って、光源１１２やジャイロセンサなどを停止させれば、加速度センサの動作を維持しても消費電力の低減の効果が得られる。
【００６７】
（２．第２の実施形態）
次に、本開示の第２の実施形態について説明する。第２の実施形態では、上記の第１の実施形態と同様のシステム１０において、第１の実施形態とは異なる方法でディスプレイユニット１１０の状態が判定される。従って、第１の実施形態と共通するシステム構成については重複した説明を省略し、以下では状態判定に関する処理について特に説明する。
【００６８】
図９は、本開示の第２の実施形態に係るシステムの概略的な機能構成を示すブロック図である。図９を参照すると、本実施形態に係るシステム２０では、上記のシステム１０と同様の機能構成に加えて、ＨＭＤ１００のディスプレイユニット１１０が、取付部材の連結部の状態を検出するスイッチ１２０を備える。このスイッチ１２０について、以下で図１０を参照してさらに説明する。
【００６９】
図１０は、本実施形態において取付部材の状態を検出するスイッチの例を示す図である。図１０に示された例では、ディスプレイユニット１１０が、テンプル１２２と、ヒンジ１２４とを備える。ヒンジ１２４は、導光板１１４を含む部分とテンプル１２２との間に設けられる。ディスプレイユニット１１０は本実施形態におけるウェアラブル光学装置の一例であり、テンプル１２２はウェアラブル光学装置をユーザの頭部に取り付けるための取付部材の一例であり、ヒンジ１２４は取付部材の連結部の一例である。なお、テンプル１２２およびヒンジ１２４については、例えば眼鏡の構成要素としてよく知られているため、詳細な説明は省略する。
【００７０】
図示された例では、ヒンジ１２４を軸にした回転によって、テンプル１２２を折り畳むことが可能である。ここで、スイッチ１２０は、ヒンジ１２４の部分に設けられ、図１０の例に示すように、ヒンジ１２４の回転によってテンプル１２２が折り畳まれた（変形した）場合に信号を出力する。
【００７１】
図１１は、本開示の第２の実施形態におけるＨＭＤの電源制御のための機能構成を示すブロック図である。図１１を参照すると、本実施形態において、ＨＭＤの電源制御は、状態判定部６１０と、電源制御部５２０とを含む機能構成によって実現される。これらの機能構成は、第１の実施形態と同様に、例えばＨＭＤ１００のコントロールユニット１６０が備えるプロセッサ１６２、スマートフォン２００のプロセッサ２０２、もしくはサーバ３００のプロセッサ３０２のうちのいずれか、またはこれらの協働によって実現される。
【００７２】
本実施形態でも、状態判定部６１０は、ディスプレイユニット１１０の状態が、利用可能な状態でユーザに装着されている第１の状態、または利用可能ではない状態でユーザに装着または携帯されている第２の状態のうちの少なくともいずれかであることを判定する。より具体的には、本実施形態において、スイッチ１２０は、ディスプレイユニット１１０の取付部材の状態を検出する状態検出部の一例である。
【００７３】
上記のとおり、本実施形態において、取付部材はテンプル１２２である。テンプル１２２の状態を示す情報は、ヒンジ１２４（連結部）に設けられるスイッチ１２０によって取得される。状態判定部６１０は、ヒンジ１２４の回転によってテンプル１２２が折り畳まれた場合にスイッチ１２０が出力する信号を取得した場合に、ディスプレイユニット１１０の状態が第２の状態（ディスプレイユニット１１０が利用可能ではない状態でユーザに装着または携帯されている状態）であることを判定する。あるいは、状態判定部６１０は、ヒンジ１２４の回転によってテンプル１２２が伸ばされた場合にスイッチ１２０が出力する信号を取得した場合に、ディスプレイユニット１１０の状態が第１の状態（ディスプレイユニット１１０が利用可能な状態でユーザに装着されている状態）であることを判定してもよい。
【００７４】
電源制御部５２０による電源制御については、上記の第１の実施形態と同様であるため詳細な説明は省略する。電源制御部５２０は、例えば、ディスプレイユニット１１０のテンプル１２２が折り畳まれたときにスイッチ１２０から出力される信号に基づいて状態判定部６１０が第２の状態を検出した場合に、ディスプレイユニット１１０またはＨＭＤ１００の電源状態を省電力状態に遷移させる。ここで、電源制御部５２０は、例えば、状態判定部６１０がスイッチ１２０からの信号に基づく状態の判定を実行可能な第１の省電力状態と、消費電力がさらに削減される代わりに状態の判定が実行されない第２の省電力状態とを定義し、電源状態が第１の省電力状態に遷移した後に、第２の状態（スイッチ１２０からの信号によってテンプル１２２が折り畳まれていることが示される状態）が所定の時間以上持続した場合に、電源状態を第２の省電力状態に遷移させてもよい。
【００７５】
（変形例）
図１２は、本実施形態の変形例において取付部材の状態を検出するスイッチの例を示す図である。図１２に示された例では、ディスプレイユニット１１０が、ベルト１２６と、バックル１２８とを備える。ベルト１２６は、ユーザの頭部に巻きつけられ、ディスプレイユニット１１０を頭部に固定する。従って、ベルト１２６は、本変形例におけるウェアラブル光学装置の取付部材の一例であり、バックル１２８は取付部材の連結部の一例である。ベルト１２６は、例えば可撓性または伸縮性を有する。従って、バックル１２８が締結された場合には、ベルト１２６および導光板１１４を含む部分によってディスプレイユニット１１０をユーザの頭部に固定するのに適した内径の輪が維持される一方で、バックル１２８が緩解された場合には、ベルト１２６が変形して輪が開き、ディスプレイユニット１１０の着脱が容易になる。
【００７６】
本変形例において、スイッチ１２０は、バックル１２８の部分に設けられ、図１２の（ａ）および（ｂ）に示すように、バックル１２８が緩解した場合に信号を出力する。状態判定部６１０は、この信号を取得した場合にディスプレイユニット１１０の状態が第２の状態（ディスプレイユニット１１０が利用可能ではない状態でユーザに装着または携帯されている状態）であることを判定する。あるいは、スイッチ１２０はバックル１２８が締結された場合に信号を出力し、状態判定部６１０は、この信号を取得した場合にディスプレイユニット１１０の状態が第１の状態（ディスプレイユニット１１０が利用可能な状態でユーザに装着されている状態）であることを判定してもよい。
【００７７】
以上で説明したように、本実施形態では、ディスプレイユニット１１０の取付部材の状態（ウェアラブル光学装置の物理的な状態）を示す情報に基づいてディスプレイユニット１１０の状態が判定され、判定結果に基づいてディスプレイユニット１１０、またはディスプレイユニット１１０を含むＨＭＤ１００の電源状態が制御される。ディスプレイユニット１１０の状態に基づいて電源状態を制御することによって、ユーザがディスプレイユニット１１０を利用可能な状態で装着していない間にはＨＭＤ１００の機能を停止させ、ユーザの利便性を損なうことなく消費電力を削減することができる。
【００７８】
なお、本実施形態では、取付部材が連結部を有し、状態検出部が連結部の状態を検出する例について説明したが、他の実施形態では、取付部材が必ずしも連結部を含まなくてもよい。例えば、取付部材は弾性変形可能であり、ユーザの頭部や顔の器官をはさみ込むことによってウェアラブル光学装置をユーザの頭部に取り付けてもよい。この場合、状態検出部は取付部材が弾性変形した状態を検出するひずみゲージなどを含み、状態判定部は、取付部材が弾性変形した状態が第２の状態であることを判定してもよい。また、取り付け部材が連結部を含む場合、連結部の状態を検出する状態検出部は、機械的なスイッチには限られず、導通パターンと接点とを含む電気的なスイッチであってもよいし、反射型フォトセンサを含む光学的なスイッチであってもよい。
【００７９】
本実施形態における取付部材の状態を用いた状態の判定は、上記の第１の実施形態における加速度の検出値および／または変化量に基づく状態の判定と組み合わされてもよい。ディスプレイユニット１１０の姿勢や動きに関わらず、テンプル１２２が折り畳まれていたり、バックル１２８が緩解されたりしている場合、ディスプレイユニット１１０は利用可能な状態ではない可能性が高い。他方、テンプル１２２が伸ばされていたり、バックル１２８が締結されていたりしても、ディスプレイユニット１１０が収納されていたり、ユーザの首にかけられたりしている場合もありうる。取付部材の状態を用いた状態の判定と、加速度の検出値または変化量に基づく状態との判定とを組み合わせることによって、上記のような場合にも正しくディスプレイユニット１１０の状態を判定することができる。
【００８０】
（３．第３の実施形態）
次に、本開示の第３の実施形態について説明する。第３の実施形態では、上記の第１の実施形態と同様のシステム１０において、第１の実施形態とは異なる方法でディスプレイユニット１１０の状態が判定される。従って、第１の実施形態と共通するシステム構成については重複した説明を省略し、以下では状態判定の処理について特に説明する。
【００８１】
図１３は、本開示の第３の実施形態に係るシステムの概略的な機能構成を示すブロック図である。図１３を参照すると、本実施形態に係るシステム３０では、上記のシステム１０（またはシステム２０）と同様の機能構成に加えて、ＨＭＤ１００のディスプレイユニット１１０が、照度センサ１３０を備える。照度センサ１３０は、ウェアラブル光学装置の周辺の環境状態を検出する状態検出部の一例であり、ディスプレイユニット１１０の周辺の照度を検出する。
【００８２】
図１４は、本開示の第３の実施形態におけるＨＭＤの電源制御のための機能構成を示すブロック図である。図１４を参照すると、本実施形態において、ＨＭＤの電源制御は、状態判定部７１０と、電源制御部５２０とを含む機能構成によって実現される。これらの機能構成は、第１の実施形態と同様に、例えばＨＭＤ１００のコントロールユニット１６０が備えるプロセッサ１６２、スマートフォン２００のプロセッサ２０２、もしくはサーバ３００のプロセッサ３０２のうちのいずれか、またはこれらの協働によって実現される。
【００８３】
本実施形態でも、状態判定部７１０は、状態検出部によって検出されたディスプレイユニット１１０の状態が、利用可能な状態でユーザに装着されている第１の状態、または利用可能ではない状態でユーザに装着または携帯されている第２の状態のうちの少なくともいずれかであることを判定する。より具体的には、本実施形態において、状態判定部７１０は、ディスプレイユニット１１０が備える照度センサ１３０によって検出される照度が閾値を下回った状態で所定の時間が経過した場合に、第２の状態（ディスプレイユニット１１０が利用可能ではない状態でユーザに装着または携帯されている状態）を検出する。あるいは、状態判定部７１０は、照度センサ１３０によって検出される照度が閾値を超えた状態で所定の時間が経過した場合に、第１の状態（ディスプレイユニット１１０が利用可能な状態でユーザに装着されている状態）を検出してもよい。
【００８４】
電源制御部５２０による電源制御については、上記の第１の実施形態と同様であるため詳細な説明は省略する。電源制御部５２０は、例えば、照度センサ１３０によって検出される照度が閾値を下回った状態で所定の時間が経過した場合に、ディスプレイユニット１１０またはＨＭＤ１００の電源状態を省電力状態に遷移させる。ここで、電源制御部５２０は、例えば、状態判定部７１０が照度センサ１３０の検出値による状態の判定を実行可能な第１の省電力状態と、消費電力がさらに削減される代わりに状態の判定が実行されない第２の省電力状態とを定義し、電源状態が第１の省電力状態に遷移した後に、第２の状態（照度センサ１３０の検出値が閾値を下回る）が所定の時間以上持続した場合に、電源状態を第２の省電力状態に遷移させてもよい。
【００８５】
例えば、ディスプレイユニット１１０がケースに収納された場合、ケースが閉じられれば、ディスプレイユニット１１０の周辺の照度はほぼ０になる。ケースに収納されている場合、ディスプレイユニット１１０は利用可能ではない状態でユーザに携帯されている。従って、状態判定部７１０は、照度センサ１３０によって検出される照度が０に近い閾値を下回った状態で所定の時間が経過することを条件として、ディスプレイユニット１１０の状態が第２の状態であることを判定することができる。なお、ケースはＨＭＤ１００全体が完全に収納されるものには限られず、例えばディスプレイユニット１１０だけが収納されるカバーのようなものであってもよい。
【００８６】
以上で説明したように、本実施形態では、照度センサ１３０（状態検出部）が検出したディスプレイユニット１１０の周辺の照度（ウェアラブル光学装置の周辺の環境状態）に基づいて、ディスプレイユニット１１０、またはディスプレイユニット１１０を含むＨＭＤ１００の電源状態が制御される。ディスプレイユニット１１０の状態に基づいて電源状態を制御することによって、ユーザがディスプレイユニット１１０を利用可能な状態で装着していない間にＨＭＤ１００の機能を停止させ、ユーザの利便性を損なうことなく消費電力を削減することができる。
【００８７】
なお、本実施形態における照度センサ１３０の検出値を用いた状態の判定は、上記の第１の実施形態における加速度の検出値または変化量に基づく状態の判定、および／または第２の実施形態におけるスイッチ１２０からの信号を用いた状態の判定と組み合わされてもよい。それぞれの状態の判定は、互いに異なる条件によって実施されるため、組み合わせることによって状態の判定の精度を向上させることができる。
【００８８】
図１５は、第１、第２、および第３の実施形態における装着状態の検出を組み合わせた処理の例を示すフローチャートである。図１５を参照すると、まず、状態判定部７１０は、ディスプレイユニット１１０の取付部材の状態を検出するスイッチ１２０からの信号に基づいて、ディスプレイユニット１１０の状態を判定する（Ｓ４０１）。ここで、ディスプレイユニット１１０が第２の状態であると判定された場合（Ｓ４０３のＹＥＳ）、電源制御部５２０が、ディスプレイユニット１１０またはＨＭＤ１００の電源状態を省電力状態に遷移させる（Ｓ４０５）。
【００８９】
一方、Ｓ４０３で第２の状態と判定されなかった場合、さらに、状態判定部７１０は、ディスプレイユニット１１０の周辺の照度を検出する照度センサ１３０の検出値に基づいて、ディスプレイユニット１１０の状態を判定する（Ｓ４０７）。ここで、第２の状態であることが判定された場合（Ｓ４０９のＹＥＳ）、電源制御部５２０が、ディスプレイユニット１１０またはＨＭＤ１００の電源状態を省電力状態に遷移させる（Ｓ４０５）。
【００９０】
Ｓ４０９でも第２の状態と判定されなかった場合、状態判定部７１０は、ディスプレイユニット１１０の加速度を検出する加速度センサの検出値または変化量に基づいて、ディスプレイユニット１１０の状態を判定する（Ｓ４１１）。ここで、ディスプレイユニット１１０が第２の状態であると判定された場合（Ｓ４１３のＹＥＳ）、電源制御部５２０が、ディスプレイユニット１１０またはＨＭＤ１００の電源状態を省電力状態に遷移させる（Ｓ４０５）。ここまでの判定で第２の状態と判定されなかった場合、電源制御部５２０は電源状態を変更せず、処理はＳ４０１に戻る。
【００９１】
上記の例のように、第１〜第３の実施形態で説明した状態の判定を組み合わせる場合、スイッチ１２０や照度センサ１３０の検出値を利用した判定の方が確実性が高い（条件に合致する場合、ディスプレイユニット１１０が利用可能な状態ではない可能性が高い）ため、これらの検出処理を先に実行し、ディスプレイユニット１１０が第２の状態であると判定された場合には、加速度に基づく判定を実行することなく電源状態を省電力状態に遷移させてもよい。
【００９２】
（４．その他の例）
その他の例として、本開示の実施形態では、ウェアラブル光学装置に関する状態を検出する状態検出部が、上述された例に限らず、さまざまなセンサやスイッチなどを用いて実現されてもよい。以下、上記の第１の実施形態と同様のシステム１０を例として、その他の例のいくつかについて説明する。
【００９３】
例えば、状態検出部は、ウェアラブル光学装置のユーザの状態を検出してもよい。システム１０の場合、ＨＭＤ１００のディスプレイユニット１１０が備える視線センサが、状態検出部として機能する。視線センサは、ディスプレイユニット１１０を装着しているユーザの視線を検出する。この場合、状態判定部は、視線センサがユーザの視線を検出しない状態が、ディスプレイユニット１１０が利用可能ではない状態でユーザに装着または携帯されている第２の状態であることを判定する。
【００９４】
状態検出部がユーザの状態を検出する場合、視線には限らず、例えば体温や脈拍など、ディスプレイユニット１１０がユーザの身体に接触または近接していることを示す指標を検出してもよい。視線の場合と同様に、体温や脈拍を検出する場合も、これらが検出されない状態が、ディスプレイユニット１１０が利用可能ではない状態でユーザに装着または携帯されている第２の状態であると判定される。
【００９５】
（５．ハードウェア構成）
次に、図１６を参照して、本開示の実施形態に係る電子機器のハードウェア構成について説明する。図１６は、本開示の実施形態に係る電子機器のハードウェア構成例を示すブロック図である。図示された電子機器９００は、例えば、上記の実施形態におけるＨＭＤ１００、スマートフォン２００、および／またはサーバ３００を構成するサーバ装置を実現しうる。
【００９６】
電子機器９００は、ＣＰＵ（Central  Processing  unit）９０１、ＲＯＭ（Read  Only  Memory）９０３、およびＲＡＭ（Random  Access  Memory）９０５を含む。また、電子機器９００は、ホストバス９０７、ブリッジ９０９、外部バス９１１、インターフェース９１３、入力装置９１５、出力装置９１７、ストレージ装置９１９、ドライブ９２１、接続ポート９２３、通信装置９２５を含んでもよい。さらに、電子機器９００は、必要に応じて、撮像装置９３３、およびセンサ９３５を含んでもよい。電子機器９００は、ＣＰＵ９０１に代えて、またはこれとともに、ＤＳＰ（Digital  Signal  Processor）またはＡＳＩＣ（Application  Specific  Integrated  Circuit）と呼ばれるような処理回路を有してもよい。
【００９７】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って、電子機器９００内の動作全般またはその一部を制御する。ＲＯＭ９０３は、ＣＰＵ９０１が使用するプログラムや演算パラメータなどを記憶する。ＲＡＭ９０５は、ＣＰＵ９０１の実行において使用するプログラムや、その実行において適宜変化するパラメータなどを一次記憶する。ＣＰＵ９０１、ＲＯＭ９０３、およびＲＡＭ９０５は、ＣＰＵバスなどの内部バスにより構成されるホストバス９０７により相互に接続されている。さらに、ホストバス９０７は、ブリッジ９０９を介して、ＰＣＩ（Peripheral  Component  Interconnect/Interface）バスなどの外部バス９１１に接続されている。
【００９８】
入力装置９１５は、例えば、マウス、キーボード、タッチパネル、ボタン、スイッチおよびレバーなど、ユーザによって操作される装置である。入力装置９１５は、例えば、赤外線やその他の電波を利用したリモートコントロール装置であってもよいし、電子機器９００の操作に対応した携帯電話などの外部接続機器９２９であってもよい。入力装置９１５は、ユーザが入力した情報に基づいて入力信号を生成してＣＰＵ９０１に出力する入力制御回路を含む。ユーザは、この入力装置９１５を操作することによって、電子機器９００に対して各種のデータを入力したり処理動作を指示したりする。
【００９９】
出力装置９１７は、取得した情報をユーザに対して視覚的または聴覚的に通知することが可能な装置で構成される。出力装置９１７は、例えば、ＬＣＤ（Liquid  Crystal  Display）、ＰＤＰ（Plasma  Display  Panel）、有機ＥＬ（Electro-Luminescence）ディスプレイなどの表示装置、スピーカおよびヘッドホンなどの音声出力装置、ならびにプリンタ装置などでありうる。出力装置９１７は、電子機器９００の処理により得られた結果を、テキストまたは画像などの映像として出力したり、音声または音響などの音声として出力したりする。
【０１００】
ストレージ装置９１９は、電子機器９００の記憶部の一例として構成されたデータ格納用の装置である。ストレージ装置９１９は、例えば、ＨＤＤ（Hard  Disk  Drive）などの磁気記憶部デバイス、半導体記憶デバイス、光記憶デバイス、または光磁気記憶デバイスなどにより構成される。このストレージ装置９１９は、ＣＰＵ９０１が実行するプログラムや各種データ、および外部から取得した各種のデータなどを格納する。
【０１０１】
ドライブ９２１は、磁気ディスク、光ディスク、光磁気ディスク、または半導体メモリなどのリムーバブル記録媒体９２７のためのリーダライタであり、電子機器９００に内蔵、あるいは外付けされる。ドライブ９２１は、装着されているリムーバブル記録媒体９２７に記録されている情報を読み出して、ＲＡＭ９０５に出力する。また、ドライブ９２１は、装着されているリムーバブル記録媒体９２７に記録を書き込む。
【０１０２】
接続ポート９２３は、機器を電子機器９００に直接接続するためのポートである。接続ポート９２３は、例えば、ＵＳＢ（Universal  Serial  Bus）ポート、ＩＥＥＥ１３９４ポート、ＳＣＳＩ（Small  Computer  System  Interface）ポートなどでありうる。また、接続ポート９２３は、ＲＳ−２３２Ｃポート、光オーディオ端子、ＨＤＭＩ（登録商標）（High-Definition  Multimedia  Interface）ポートなどであってもよい。接続ポート９２３に外部接続機器９２９を接続することで、電子機器９００と外部接続機器９２９との間で各種のデータが交換されうる。
【０１０３】
通信装置９２５は、例えば、通信ネットワーク９３１に接続するための通信デバイスなどで構成された通信インターフェースである。通信装置９２５は、例えば、有線または無線ＬＡＮ（Local  Area  Network）、Ｂｌｕｅｔｏｏｔｈ（登録商標）、またはＷＵＳＢ（Wireless  USB）用の通信カードなどでありうる。また、通信装置９２５は、光通信用のルータ、ＡＤＳＬ（Asymmetric  Digital  Subscriber  Line）用のルータ、または、各種通信用のモデムなどであってもよい。通信装置９２５は、例えば、インターネットや他の通信機器との間で、ＴＣＰ／ＩＰなどの所定のプロトコルを用いて信号などを送受信する。また、通信装置９２５に接続される通信ネットワーク９３１は、有線または無線によって接続されたネットワークであり、例えば、インターネット、家庭内ＬＡＮ、赤外線通信、ラジオ波通信または衛星通信などである。
【０１０４】
撮像装置９３３は、例えば、ＣＣＤ（Charge  Coupled  Device）またはＣＭＯＳ（Complementary  Metal  Oxide  Semiconductor）などの撮像素子、および撮像素子への被写体像の結像を制御するためのレンズなどの各種の部材を用いて実空間を撮像し、撮像画像を生成する装置である。撮像装置９３３は、静止画を撮像するものであってもよいし、また動画を撮像するものであってもよい。
【０１０５】
センサ９３５は、例えば、加速度センサ、ジャイロセンサ、地磁気センサ、光センサ、音センサなどの各種のセンサである。センサ９３５は、例えば電子機器９００の筐体の姿勢など、電子機器９００自体の状態に関する情報や、電子機器９００の周辺の明るさや騒音など、電子機器９００の周辺環境に関する情報を取得する。また、センサ９３５は、ＧＰＳ（Global  Positioning  System）信号を受信して装置の緯度、経度および高度を測定するＧＰＳセンサを含んでもよい。
【０１０６】
以上、電子機器９００のハードウェア構成の一例を示した。上記の各構成要素は、汎用的な部材を用いて構成されていてもよいし、各構成要素の機能に特化したハードウェアにより構成されていてもよい。かかる構成は、実施する時々の技術レベルに応じて適宜変更されうる。
【０１０７】
（６．補足）
本開示の実施形態は、例えば、上記で説明したような電子機器、システム、電子機器またはシステムで実行される方法、電子機器を機能させるためのプログラム、およびプログラムが記録された一時的でない有形の媒体を含みうる。
【０１０８】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１０９】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１１０】
なお、以下のような構成も本開示の技術的範囲に属する。
（１）電子機器であって、
ウェアラブル光学装置と、
前記ウェアラブル光学装置に関する状態を検出する状態検出部と、
前記検出された状態が、前記ウェアラブル光学装置が利用可能な状態でユーザに装着されている第１の状態、または前記ウェアラブル光学装置が利用可能ではない状態でユーザに装着または携帯されている第２の状態の少なくともいずれかであることを判定する状態判定部と、
前記判定の結果に基づいて前記電子機器の電源状態を制御する電源制御部と
を備える電子機器。
（２）前記状態検出部は、前記ウェアラブル光学装置の姿勢または動きの状態を検出する、前記（１）に記載の電子機器。
（３）前記状態検出部は、加速度センサを含む、前記（２）に記載の電子機器。
（４）前記状態判定部は、前記加速度センサの検出値に基づいて前記判定を実行する、前記（３）に記載の電子機器。
（５）前記状態判定部は、前記加速度センサによって検出される重力加速度成分の向きが所定の向きと異なる場合に、前記検出された状態が前記第２の状態であることを判定する、前記（４）に記載の電子機器。
（６）前記状態判定部は、前記重力加速度成分の向きが所定の向きと異なる状態が所定の時間継続した場合に、前記検出された状態が前記第２の状態であることを判定する、前記（５）に記載の電子機器。
（７）前記状態判定部は、前記加速度センサの検出値の変化量に基づいて前記判定を実行する、前記（３）〜（６）のいずれか１項に記載の電子機器。
（８）前記状態判定部は、前記変化量が第１の閾値よりも小さい状態が所定の時間継続した場合に、前記検出された状態が前記第２の状態であることを判定する、前記（７）に記載の電子機器。
（９）前記ウェアラブル光学装置は、前記ユーザの頭部に取り付けるための取付部材を含み、
前記状態検出部は、前記取付部材の状態を検出する、前記（１）〜（８）のいずれか１項に記載の電子機器。
（１０）前記取付部材は、連結部を含み、
前記状態検出部は、前記連結部の状態を検出し、
前記状態判定部は、前記連結部の状態に基づいて前記判定を実行する、前記（９）に記載の電子機器。
（１１）前記取付部材は、弾性変形可能であり、
前記状態検出部は、前記取付部材が弾性変形した状態を検出し、
前記状態判定部は、前記取付部材が弾性変形した状態が前記第２の状態であることを判定する、前記（９）に記載の電子機器。
（１２）前記状態検出部は、前記ユーザの状態を検出する、前記（１）〜（１１）のいずれか１項に記載の電子機器。
（１３）前記状態検出部は、前記ユーザの視線を検出する視線センサを含み、
前記状態判定部は、前記視線センサが前記ユーザの視線を検出しない状態が、前記第２の状態であることを判定する、前記（１２）に記載の電子機器。
（１４）前記状態検出部は、前記ウェアラブル光学装置の周辺の環境状態を検出する、前記（１）〜（１３）のいずれか１項に記載の電子機器。
（１５）前記状態検出部は、前記ウェアラブル光学装置の周辺の照度を検出し、
前記状態判定部は、前記照度が閾値を下回った状態が前記第２の状態であることを判定する、前記（１４）に記載の電子機器。
（１６）前記電源制御部は、前記検出された状態が前記第２の状態であることが判定された場合に、前記電源状態を省電力状態に遷移させる、前記（１）〜（１５）のいずれか１項に記載の電子機器。
（１７）前記省電力状態は、消費電力が異なる複数の省電力状態を含み、
前記電源制御部は、前記第２の状態の持続時間に応じて、前記電源状態を消費電力がより少ない前記省電力状態に段階的に遷移させる、前記（１６）に記載の電子機器。
（１８）前記電源制御部は、前記第１の状態が判定された場合に、前記電源状態を前記省電力状態から復帰させる、前記（１６）または（１７）に記載の電子機器。
（１９）前記省電力状態は、前記状態検出部が前記第１の状態または前記第２の状態に対応する状態を検出可能である第１の省電力状態と、前記状態検出部が前記第１の状態または前記第２の状態を検出可能でなく、かつ消費電力が前記第１の省電力状態よりも小さい第２の省電力状態とを含み、
前記電源制御部は、前記第２の状態の持続時間に応じて、前記電源状態を前記第１の省電力状態から前記第２の省電力状態に段階的に遷移させ、前記第１の省電力状態において検出された状態が前記第１の状態であることが判定された場合に前記電源状態を前記省電力状態から復帰させる、前記（１８）に記載の電子機器。
（２０）ウェアラブル光学装置に関する状態を検出し、
前記検出された状態が、前記ウェアラブル光学装置が利用可能な状態でユーザに装着されている第１の状態、または前記ウェアラブル光学装置が利用可能ではない状態でユーザに装着または携帯されている第２の状態の少なくともいずれかであることを判定し、
前記判定の結果に基づいて前記ウェアラブル光学装置を含む電子機器の電源状態を制御する
ことを含む電源制御方法。
【符号の説明】
【０１１１】
１０    システム
１００    ＨＭＤ
１１０    ディスプレイユニット
１１２    光源
１１４    導光板
１１６    モーションセンサ
１１８    カメラ
１２０    スイッチ
１２２    テンプル
１２４    ヒンジ
１２６    ベルト
１２８    バックル
１３０    照度センサ
１６０    コントロールユニット
１６２    プロセッサ
１６４    メモリ
２００    スマートフォン
２０２    プロセッサ
２０４    メモリ
３００    サーバ
３０２    プロセッサ
３０４    メモリ
５１０，６１０，７１０    状態判定部
５２０    電源制御部
【図１】
2015156610.tif 000003
【図２】
2015156610.tif 000004
【図３】
2015156610.tif 000005
【図４】
2015156610.tif 000006
【図５】
2015156610.tif 000007
【図６】
2015156610.tif 000008
【図７】
2015156610.tif 000009
【図８】
2015156610.tif 000010
【図９】
2015156610.tif 000011
【図１０】
2015156610.tif 000012
【図１１】
2015156610.tif 000013
【図１２】
2015156610.tif 000014
【図１３】
2015156610.tif 000015
【図１４】
2015156610.tif 000016
【図１５】
2015156610.tif 000017
【図１６】
2015156610.tif 000018